(57)【要約】【課題】  本発明は賞球を１個ずつ受け入れ、払い出すまでの間の賞球が接触する外壁を短くして、外壁と賞球との接触部を最小限にして摩擦負荷の低減を図り、高速払い出しを可能とする賞球ユニットを得るにある。【解決手段】  ２条の賞球通過経路の下部を平面上1条に合流させて賞球を払い出す賞球路と、この賞球路の合流部に配置した対応する部位に賞球を支持する凹部が一対形成された一対のカムと、この一対のカムの凹部がほぼ９０度位置がずれた状態で逆回転できるようにギヤで連結されたカムの駆動装置とで賞球ユニットを構成している。【選択図】  図１
2007325913.tif 000002
【特許請求の範囲】
【請求項１】
２条の賞球通過経路の下部を平面上1条に合流させて賞球を払い出す賞球路と、この賞球路の合流部に配置した対応する部位に賞球を支持する凹部が一対形成された一対のカムと、この一対のカムの凹部がほぼ９０度位置がずれた状態で逆回転できるようにギヤで連結されたカムの駆動装置とを備えることを特徴とする賞球ユニット。
【請求項２】
２条の賞球通過経路の下部を平面上１条に合流させて賞球を払い出す賞球路と、この賞球路の合流部に配置した対応する部位に賞球を回転方向にガイドできるように支持する凹部が一対形成された一対のカムと、この一対のカムの凹部がほぼ９０度位置がずれた状態で逆回転できるようにギヤで連結されたカムの駆動装置とを備えることを特徴とする賞球ユニット。
【請求項３】
２条の賞球通過経路の下部を平面上１条に合流させて賞球を払い出す賞球路と、この賞球路の合流部に配置した対応する部位に賞球を支持する凹部が一対形成された一対のカムと、この一対のカムの凹部がほぼ９０度位置がずれた状態で逆回転できるようにギヤで連結され、かつ一方のギヤがモータの駆動軸に取付けられたピニオンと噛み合うカムの駆動装置とを備えることを特徴とする賞球ユニット。
【発明の詳細な説明】
【技術分野】
【０００１】
本発明はパチンコ機の賞球ユニットに関する。
【背景技術】
【０００２】
従来の賞球ユニットは賞球を整列上に流下させる玉通路に臨んで、賞球を１個ずつ受け入れて払い出すモータで駆動する玉送り回転体を用いている。
【０００３】
このため、玉送り回転体で賞球出口へ払い出される場合、賞球を受けてから払い出すまでの間は、外壁が設けられているため、該外壁と接触して摩擦負荷が生じ、高速払い出しがしずらいという欠点があった。
【特許文献１】特開平１０−２１１３３２
【発明の開示】
【発明が解決しようとする課題】
【０００４】
本発明は以上のような従来の欠点に鑑み、賞球を１個ずつ受け入れ、払い出すまでの間の賞球が接触する外壁を短くして、外壁と賞球との接触部を最小限にして摩擦負荷の低減を図り、高速払い出しを可能とする賞球ユニットを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は２条の賞球通過経路の下部を平面上1条に合流させて賞球を払い出す賞球路と、この賞球路の合流部に配置した対応する部位に賞球を支持する凹部が一対形成された一対のカムと、この一対のカムの凹部がほぼ９０度位置がずれた状態で逆回転できるようにギヤで連結されたカムの駆動装置とで賞球ユニットを構成している。
【０００７】
本発明は２条の賞球通過経路の下部を平面上１条に合流させて賞球を払い出す賞球路と、この賞球路の合流部に配置した対応する部位に賞球を支持する凹部が一対形成された一対のカムと、この一対のカムの凹部がほぼ９０度位置がずれた状態で逆回転できるようにギヤで連結され、かつ一方のギヤがモータの駆動軸に取付けられたピニオンと噛み合うカムの駆動装置とで賞球ユニットを構成している。
【発明の効果】
【０００８】
以上の説明から明らかなように、本発明にあっては次に列挙する効果が得られる。
【０００９】
（１）２条の賞球通過経路の下部を平面上1条に合流させて賞球を払い出す賞球路と、この賞球路の合流部に配置した対応する部位に賞球を支持する凹部が一対形成された一対のカムと、この一対のカムの凹部がほぼ９０度位置がずれた状態で逆回転できるようにギヤで連結されたカムの駆動装置とで構成されているので、２条の賞球通過経路を通過してくる賞球を、平面上１条に合流されて賞球支持凹部がほぼ９０度位置がずれたギヤで連結され、逆回転する一対のカムを通過させて払い出しすることができる。
したがって、払い出しされる賞球は一対のカムの回転方向に沿って払い出しすることができ、賞球の外壁との接触部を最小限にでき、摩擦負荷の低減を図ることができ、高速払い出しを行なうことができる。
【００１０】
（２）前記（１）によって、一対のカムをギヤで回転させるので、賞球を支持する凹部を一定間隔で回転させることができる。
したがって、よりスムーズで確実に検出できるように賞球を払い出しすることができる。
【００１１】
（３）前記（１）によって、一対のカムの凹部に支持された賞球と、次に支持される賞球とをカムの外周壁によって、わずかなカムの回転角度で分離することができる。
したがって、カムの凹部に支持された賞球に、次の賞球が賞球通過経路の外壁に押し圧するような荷重を効率よく排除することができる。
【００１２】
（４）請求項２も前記（１）〜（３）と同様な効果が得られるとともに、一対のカムの凹部によって、払い出される賞球をよりスムーズに払い出しすることができる。
【００１３】
（５）請求項３も前記（１）〜（３）と同様な効果が得られるとともに、モータの駆動軸に取付けられたピニオンを介してカムを回転させるギヤを回転させているので、減速となり、球排出時のカムの駆動トルクは大きくなる。
したがって、カム側からモータを回転させようとした時には、ダイレクト駆動時よりもモータを回転させる力は大きな力が必要となる。このため、パチンコ台を叩かれたときなどに落球したりするのを確実に防止することができる。
すなわち、通電していない時のモータの保持力がギヤ比に応じて小さくできる。
【発明を実施するための最良の形態】
【００１４】
以下、図面に示す本発明を実施するための最良の形態により、本発明を詳細に説明する。
【００１５】
図１ないし図８に示す本発明を実施するための最良の第１の形態において、１は本発明の賞球ユニットで、この賞球ユニット１はケース体２と、このケース体２の開口部３を覆うカバー板４と、このカバー板４の前面を覆うように取付けられた２条の賞球通過経路５、５の下部を平面上１条に合流させて賞球を払い出す賞球路６が形成された賞球路形成カバー７と、この賞球路形成カバー７の合流部８に配置された対応する部位に賞球を支持する凹部９、９、９、９が形成され、前記カバー板４に回転可能の軸１０、１０に取付けられた一対のカム１１、１１と、この一対のカム１１、１１の凹部９、９、９、９がほぼ９０度位置がずれた状態で逆回転できるように噛み合う、前記軸１０、１０に固定されたギヤ１２、１２、このギヤ１２、１２の一方のギヤ１２の軸１０に駆動軸１４が固定された前記カバー板４が取付けられたステッピングモータ１５とからなるカムの駆動装置１６と、前記賞球路６の下端部に取付けられた賞球払い出しセンサー１７が設けられた賞球出口１８と、前記カバー板４の背面に取付けられた前記モータ１５や賞球払い出しセンサー１７を制御する制御基板１９とで構成されている。
【００１６】
前記賞球路６の２条の賞球通過経路５、５と平面上１条に合流される合流部８の上部内側壁５ａ、５ａは逆山形状で円弧状の凹部に形成され、前記一対のカム１１、１１の凹部９、９、９、９で支持して払い出される賞球２０がスムーズに通過できるように形成されている。
また、２条の賞球通過経路５、５の下部の外側壁５ｂ、５ｂは下部がわずか内側方向に位置するような曲面に形成されている。
【００１７】
前記一対のカム１１、１１は図６に示すように、円板状のカム本体２１の対向する部位に賞球の下端部を支持することができるように形成された円弧状の凹部９、９と、この凹部９、９の先端部側を支持した賞球を落下方向に案内できるように円弧状の案内面２２が形成されている。
【００１８】
上記構成の賞球ユニット１は、２条の賞球通過経路５、５へ導かれた賞球２０、２０は、図８に示すように合流部８で一対のカム１１、１１の凹部９、９、９、９に支持され、賞球払い出しセンサー１７が設けられた賞球出口１８より払い出される。
この時、賞球２０は一対のカム１１、１１の凹部９、９、９、９がほぼ９０度位置がずれているため、９０度の回転により１個ずつ払い出されるとともに、一対のカム１１、１１が賞球２０を払い出す方向に逆回転するため、払い出される賞球２０に摩擦負荷が加わることがなく、摩擦負荷の低減を図ることができ、高速払い出しを行なうことができる。
また、２条の賞球通過経路５、５から合流部８の賞球通過経路５、５の外側壁５ｂ、５ｂ、上部内側壁５ａ、５ａおよび一対のカム１１、１１の凹部９、９と案内面２２、２２、２２、２２とによって、よりスムーズで摩擦負荷を与えることなく払い出しできるように賞球２０を案内することができる。
[発明を実施するための異なる形態]
【００１９】
次に、図９ないし図２０に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図９ないし図１１に示す本発明を実施するための第２の形態において、前記本発明を実施するための最良の第１の形態と主に異なる点は、一対のカム１１、１１を逆回転させるギヤ１２、１２の一方のギヤ１２と噛み合うピニオン１３が駆動軸１４に取付けられ、カバー板４に取付けられたステッピングモータ１５とからなるカムの駆動装置１６Ａを用いた点で、このようなカムの駆動装置１６Ａを用いて構成した賞球ユニット１Ａにしても、前記本発明を実施するための最良の第１の形態と同様な作用効果が得られる。
【００２１】
図１２ないし図１４に示す本発明を実施するための第３の形態において、前記本発明を実施するための最良の第１の形態と主に異なる点は、カバー板４Ａが外側に位置するように配置するとともに、賞球路形成カバー７Ａの賞球路６が形成されていない面にギヤ１２、１２と制御基板１９を取付けた点で、このように構成した賞球ユニット１Ｂにしても、前記本発明を実施するための最良の第１の形態と同様な作用効果が得られる。
【００２２】
図１５ないし図１７に示す本発明を実施するための第４の形態において、前記本発明を実施するための最良の第１の形態と主に異なる点は、一方のギヤ１２をモータ１５の駆動軸１４に取付けられたピニオン２３を介して駆動させることができるカムの駆動装置１６Ｂを用いた点で、このようなカムの駆動装置１６Ｂ
を用いて構成した賞球ユニット１Ｃにしても、前記本発明を実施するための最良の第１の形態と同様な作用効果が得られるとともに、モータ１５の駆動軸１４に取付けられたピニオン２３を介して、一方のギヤ１２を駆動させるため、減速となり、球排出時のカム１１、１１の駆動トルクは大きくなる。
したがって、カム１１、１１側からモータ１５を回転させようとした時には、ダイレクト駆動時よりモータ１５を回転させる力は大きな力が必要となる。このため、パチンコ台を叩かれた時などに、落球したりするのを確実に防止することができる。
すなわち、通電していない時のモータ１５の保持力が、ギヤ比に応じて小さくできる。
【００２３】
図１８ないし図２０に示す本発明を実施するための第５の形態において、前記本発明を実施するための第４の形態と主に異なる点は、ケース体２の外側よりモータ１５の駆動軸１４、すなわちピニオン２３を回転できるように、該ピニオン２３Ａにケース体２の外方へ突出する軸２４を一体形成したカムの駆動装置１６Ｃを用いた点で、このように形成されたピニオン２３Ａを用いたカムの駆動装置１６Ｃを使用して構成した賞球ユニット１Ｄにしても、前記本発明を実施するための第４の形態と同様な作用効果が得られるとともに、ケース体２の外部より軸２４を回転させて強制的にカム１１、１１を回転させることができる。
【産業上の利用可能性】
【００２４】
本発明は賞球ユニットを製造する産業で利用される。
【図面の簡単な説明】
【００２５】
【図１】本発明を実施するための最良の第１の形態の分解斜視図。
【図２】本発明を実施するための最良の第１の形態の正面図。
【図３】本発明を実施するための最良の第１の形態の平面図。
【図４】本発明を実施するための最良の第１の形態の一対のカムとギヤが取付けられたカバー板の説明図。
【図５】本発明を実施するための最良の第１の形態の賞球路形成カバーの説明図。
【図６】本発明を実施するための最良の第１の形態のカムの説明図。
【図７】本発明を実施するための最良の第１の形態の要部説明図。
【図８】本発明を実施するための最良の第１の形態の動作説明図。
【図９】本発明を実施するための第２の形態の分解斜視図。
【図１０】本発明を実施するための第２の形態の正面図。
【図１１】本発明を実施するための第２の形態の平面図。
【図１２】本発明を実施するための第３の形態の分解斜視図。
【図１３】本発明を実施するための第３の形態の正面図。
【図１４】本発明を実施するための第３の形態の平面図。
【図１５】本発明を実施するための第４の形態の分解斜視図。
【図１６】本発明を実施するための第４の形態の正面図。
【図１７】本発明を実施するための第４の形態の平面図。
【図１８】本発明を実施するための第５の形態の分解斜視図。
【図１９】本発明を実施するための第５の形態の正面図。
【図２０】本発明を実施するための第５の形態の平面図。
【符号の説明】
【００２６】
１、１Ａ、１Ｂ、１Ｃ、１Ｄ：賞球ユニット、
２：ケース体、                                ３：開口部、
４、４A：カバー板、                     ５：賞球通過経路、            
６：賞球路、                                                ７、７A：賞球路形成カバー、
８：合流部、                                                ９：凹部、
１０：軸、                                        １１：カム、
１２：ギヤ、                                                １３：ピニオン、
１４：駆動軸、                                １５：モータ、
１６、１６Ａ、１６Ｂ、１６Ｃ：カム駆動装置、
１７：賞球払い出しセンサー、    １８：賞球出口、
１９：制御基板、                            ２０：賞球、
２１：カム本体、                            ２２：案内面、
２３、２３Ａ：ピニオン、                        ２４：軸。
【図１】
2007325913.tif 000003
【図２】
2007325913.tif 000004
【図３】
2007325913.tif 000005
【図４】
2007325913.tif 000006
【図５】
2007325913.tif 000007
【図６】
2007325913.tif 000008
【図７】
2007325913.tif 000009
【図８】
2007325913.tif 000010
【図９】
2007325913.tif 000011
【図１０】
2007325913.tif 000012
【図１１】
2007325913.tif 000013
【図１２】
2007325913.tif 000014
【図１３】
2007325913.tif 000015
【図１４】
2007325913.tif 000016
【図１５】
2007325913.tif 000017
【図１６】
2007325913.tif 000018
【図１７】
2007325913.tif 000019
【図１８】
2007325913.tif 000020
【図１９】
2007325913.tif 000021
【図２０】
2007325913.tif 000022